(57)【要約】【課題】複数の部屋を換気するにあたり、ダクトの種類、ダクトの長さに影響せず、風量が一定に制御できる換気システムを提供することを目標とする。【解決手段】居室６、９、トイレ１２に備えた第１吸込グリル７、第２吸込グリル１０、第３吸込グリル１３のそれぞれからの吸込みと伴に、本体４の下面のルーバ１６に備えた吸込み口からも吸込む構成とし、差圧センサ２２を備え、排気ダクト１９を通して居室壁面に設けている排気口２０から外気へ排気する。差圧センサ２２により、ダクトの種類、ダクトの長さに影響せず、必要な換気風量を一定に制御する。【選択図】図１
2008008528.tif 000002
【特許請求の範囲】
【請求項１】
汚れた空気を排気するファンと１室以上の居室を吸気するための吸込グリルと外気へ排気するための排気口と、前記排気口と外気を連通するための排気ダクト接続口と前記ファンを制御する制御部を本体に備えた換気システムにおいて、前記排気ダクト接続口に差圧測定装置を設置し、前記差圧測定装置により測定した値により排気風量を一定制御することを特徴とする換気システム。
【請求項２】
前記ファンを駆動するモータがＤＣモータであることを特徴とした請求項１記載の換気システム。
【請求項３】
温度測定装置を備え、差圧測定装置により測定した値を補正することを特徴とした請求項１または２記載の換気システム。
【請求項４】
ダクト接続口に絞りを備えたことを特徴とした請求項１、２または３記載の換気システム。
【請求項５】
ダクト接続口内部にオリフィスを備えたことを特徴とした請求項１、２または３記載の換気システム。
【請求項６】
差圧測定装置の取り出し口をダクト接続口内部の壁面に備えることを特徴とした請求項１記載の換気システム。
【請求項７】
排気口にフィルタを備えることを特徴とした請求項１または２記載の換気システム。
【請求項８】
窓開閉用スイッチを備え、窓の開閉の状態によってファンを制御することを特徴とした請求項１または２記載の換気システム。
【請求項９】
窓開閉用スイッチの開の状態がある一定時間が継続した場合のみファンを停止することを特徴とした請求項１、２または８記載の換気システム。
【請求項１０】
吸込みグリルに人感測定装置を設け、前記人感測定装置が検知していると判断している間はファンを運転することを特徴とした請求項１、２、８または９記載の換気システム。
【請求項１１】
室内温度測定装置と室外温度測定装置を設け、温度差の結果に応じてファンを制御することを特徴とした請求項１または２記載の換気システム。
【請求項１２】
排気ダクト接続口に差圧測定装置を備え、この排気ダクト接続口を同じ径のダクト接続口に取付けられることを特徴とした請求項１または２記載の換気システム。
【請求項１３】
暖房機能を備えることを特徴とした請求項１または２記載の換気システム。
【請求項１４】
外出を入力する外出入力手段を備え、前記外出入力手段が入力されていると判断している時に窓が開閉したと判断した場合は、警報を促すことを特徴とした請求項１、２、８、９または１０記載の換気システム。
【請求項１５】
外出入力手段の変わりに、圧力測定装置を備えたことを特徴とした請求項１、２、８、９または１０記載の換気システム。
【発明の詳細な説明】
【技術分野】
【０００１】
本発明は、建物に取り付けられ、１室以上の居室に連通した１つ以上の吸込グリルと、排気口とファンを備えた換気システムに関する。
【背景技術】
【０００２】
従来、この種の換気システムには、送風機と、１室以上の居室を吸気するための吸気口と、外気へ排気するための排気口と、排気口の内には、圧力測定装置を設置させ、該圧力測定装置により測定した値により排気風量を一定制御する構造となっていた。（例えば、特許文献１参照）。
【０００３】
以下、その換気システムについて図１０を参照しながら説明する。
【０００４】
空調装置は、例えば、天井１１３裏に設置されており、換気システム本体１０１の側面に設けた第１吸気ダクト接続口１０２は、第１吸気ダクトと通じて、例えば脱衣所の、主に天井に設置されている第１吸気口と連通している。また、装置本体１の側面に設けた第２吸気ダクト接続口１０３は、第２吸気ダクトと通じて、例えばトイレの、主に天井に設置されている第２吸気口と連通している。換気システム本体１０１には、第１ファン１０４と第１モータ１０５からなる第１送風機１０６を備え、前記第一吸気口および第２吸気口のそれぞれから吸気するとともに、本体１０１の下面の化粧パネル１０７に備えた吸気口１０８からも空気を吸い込み、本体１０１側面に設けている排気ダクト接続口１０９と経由して排気ダクト接続口１０９と連通した排気ダクト１１０を通じて居室壁面に設けている排気口から外気へ排気できる。
【０００５】
また、居室壁面には、外気吸込口（必要に応じた個数設置される。）が備えてあり、外気を居室に吸込み、外へ排気される。
【０００６】
また、排気ダクト接続口１０９内には、圧力センサ１１１を備え、制御部と信号線（図示無し）で接続されていて、この圧力センサ１１１で排気時の圧力損失を測定することができる。これにより、圧力センサ１１１と接続された制御部１１２により、一定に風量が出るように、第１送風機１０６を操作することにより、ダクトの経路圧力損失に応じて、送風機を制御部で制御して、必要な換気風量を、一定に換気することができる換気システムであった。
【特許文献１】特開２００３−２６９７８１号公報
【発明の開示】
【発明が解決しようとする課題】
【０００７】
このような従来の換気システムでは、圧力センサで排気時の圧力損失を測定し制御部で、送風機を操作することによりダクトの経路圧力損失に応じて、一定に風量が出るように風量一定制御をしているが、一般的に圧力センサは、大気圧を基準にして測定しているため圧力センサの設置場所（例えばビルの１階と２階）やその日の天候（例えば高気圧と低気圧）で変化してしまうためダクトの経路圧力損失を的確に測定することができないため風量を一定に制御することができないという課題があった。
【０００８】
本発明は、このような従来の課題を解決するもので、センサの設置場所やその日の天候に左右されることなくダクトの経路圧力損失を的確に測定することができるため、ダクトの種類やダクトの長さやダクトの曲げ回数に影響されることなく居室の設計者が必要とする必要な換気風量を確保できる換気システムを提供することを目的とする。
【課題を解決するための手段】
【０００９】
上記課題を解決するために本発明の換気システムは、複数の部屋を換気するにあたり、居室全体の全体換気を主眼にして、ダクトがどんな施工状態でも風量を一定に制御することを特徴とする。
【００１０】
また、本発明の換気システムは、汚れた空気を排気するファンと１室以上の居室を吸気するための吸込グリルと外気へ排気するための排気口と、前記排気口と外気を連通するための排気ダクト接続口と前記ファンなどを制御する制御部を本体に備えた換気システムにおいて、前記排気ダクト接続口に差圧測定装置を設置し、前記差圧測定装置により測定した値により排気風量を一定制御することを特徴とする。
【００１１】
また、本発明の換気システムは、ファンを駆動するモータがＤＣモータであることを特徴とする。
【００１２】
また、本発明の換気システムは、温度測定装置を備え、差圧測定装置により測定した値を補正することを特徴とする。
【００１３】
また、本発明の換気システムは、ダクト接続口に絞りを備えたことを特徴とする。
【００１４】
また、本発明の換気システムは、ダクト接続口内部にオリフィスを備えたことを特徴とする。
【００１５】
また、本発明の換気システムは、差圧測定装置の取り出し口をダクト接続口内部の壁面に備えることを特徴とする。
【００１６】
また、本発明の換気システムは、排気口にフィルタを備えることを特徴する。
【００１７】
また、本発明の換気システムは、窓開閉用スイッチを備え、窓の開閉の状態によってファンを制御することを特徴とする。
【００１８】
また、本発明の換気システムは、窓開閉用スイッチの開の状態がある一定時間が継続した場合のみファンを停止することを特徴とする。
【００１９】
また、本発明の換気システムは、吸込みグリルに人感測定装置を設け、前記人感測定装置が検知していると判断している間はファンを運転することを特徴とする。
【００２０】
また、本発明の換気システムは、室内温度測定装置と室外温度測定装置を設け、温度差の結果に応じてファンを制御することを特徴とする。
【００２１】
また、本発明の換気システムは、排気ダクト接続口に差圧測定装置を備え、この排気ダクト接続口を同じ径のダクト接続口に取り付けられることを特徴とする。
【００２２】
また、本発明の換気システムは暖房機能を備えることを特徴とする。
【００２３】
また、本発明の換気システムは、外出を入力する外出入力手段を備え、前記外出入力手段が入力されていると判断している時に窓が開閉したと判断した場合は、警報を促すことを特徴とする。
【００２４】
また、本発明の換気システムは、外出入力手段の変わりに、圧力測定装置を備えたことを特徴とする。
【発明の効果】
【００２５】
以上のように本願発明の換気システムによれば、ダクトの経路圧力損失を的確に測定することができるため、居室設計者及び施工業者がダクトの長さ、配管の影響を気にすることなく設計、施工できるため換気回数を確実に確保できるこができ、また必要以上の換気をしないという観点から、送風機の騒音を低減し、消費電力も低下させることができるため環境に配慮した商品を提供することができる。
【発明を実施するための最良の形態】
【００２６】
請求項１に記載の換気システムの発明は、汚れた空気を排気するファンと１室以上の居室を吸気するための吸込グリルと外気へ排気するための排気口と、前記排気口と外気を連通するための排気ダクト接続口と前記ファンなどを制御する制御部を本体に備えた換気システムにおいて、排気ダクト接続口に差圧測定装置を設置し、差圧測定装置により測定した値により排気風量を一定制御することを特徴とするものであり、ダクトの経路圧力損失を的確に測定することができるため、居室設計者及び施工業者がダクトの長さ、配管の影響を気にすることなく設計、施工できるため換気回数を確実に確保することができる。
【００２７】
請求項２に記載の換気システムの発明は、ファンを駆動するモータがＤＣモータであることを特徴とするものであり、出力の効率が良くすることできるため、消費電力を削減することできる。
【００２８】
請求項３に記載の換気システムの発明は、温度測定装置を備え、差圧測定装置により測定した値を補正することを特徴とするものであり、環境変化を防止することができるため、環境の変化によらず換気回数を確実に確保することができる。
【００２９】
請求項４に記載の換気システムの発明は、ダクト接続口に絞りを備えたことを特徴とするものであり、絞りを入れることでより差圧値を正確に出力することができ、ダクトの経路圧力損失を的確に測定することができるため、居室設計者及び施工業者がダクトの長さ、配管の影響を気にすることなく設計、施工できるため換気回数を確実に確保することができる。
【００３０】
請求項５に記載の換気システムの発明は、ダクト接続口内部にオリフィスを備えたことを特徴するものであり、オリフィスを入れることでより差圧値を正確に出力することができ、ダクトの経路圧力損失を的確に測定することができるため、居室設計者及び施工業者がダクトの長さ、配管の影響を気にすることなく設計、施工できるため換気回数を確実に確保することができる。
【００３１】
請求項６に記載の換気システムの発明は、差圧測定装置の取り出し口をダクト接続口内部の壁面に備えることを特徴とするものであり、差圧測定装置の取り出し口をダクト接続口内部の壁面に備えることでより差圧値を正確に出力することができ、ダクトの経路圧力損失を的確に測定することができるため、居室設計者及び施工業者がダクトの長さ、配管の影響を気にすることなく設計、施工できるため換気回数を確実に確保することができる。
【００３２】
請求項７に記載の換気システムの発明は、排気口にフィルタを備えることを特徴するものであり、フィルタを備えることでファンの乱流の影響を防止しより差圧値を正確に出力することができ、ダクトの経路圧力損失を的確に測定することができるため、居室設計者及び施工業者がダクトの長さ、配管の影響を気にすることなく設計、施工できるため換気回数を確実に確保することができる。
【００３３】
請求項８に記載の換気システムの発明は、窓開閉用スイッチを備え、窓の開閉の状態によってファンを制御することを特徴するものであり、窓の開閉の状態でファンの運転、停止を行うため消費電力を削減することができる。
【００３４】
請求項９に記載の換気システムの発明は、窓開閉用スイッチの開の状態がある一定時間が継続した場合のみファンを停止することを特徴とするため、ファンのチャタリングを防止することができ寿命を長くすることができる。
【００３５】
請求項１０に記載の換気システムの発明は、吸込みグリルに人感測定装置を設け、人感測定装置が検知していると判断している間はファンを運転することを特徴するため、例えばトイレ等で使用者が用を足しているときに別の使用者が窓を開けてある一定時間経過してもファンを停止することなく換気することができるため使用者に快適環境を提供することができる。
【００３６】
請求項１１に記載の換気システムの発明は、室内温度測定装置と室外温度測定装置を設け、温度差の結果に応じてファンを制御することを特徴とするため、冬場等自然換気回数が見込めるためファンの能力を低下させることができ消費電力を削減することができる。
【００３７】
請求項１２に記載の換気システムの発明は、排気ダクト接続口に差圧測定装置を備え、この排気ダクト接続口を同じ径のダクト接続口に取り付けられることを特徴とするものであり、ファンの乱気流の影響を防止しより差圧値を正確に出力することができ、ダクトの経路圧力損失を的確に測定することができるため、居室設計者及び施工業者がダクトの長さ、配管の影響を気にすることなく設計、施工できるため換気回数を確実に確保することができる。
【００３８】
請求項１３記載の換気システムの発明は、暖房機能を備えることを特徴とするものであり、浴室等の部屋を温めることができるため使用者が暖房や衣類の乾燥を行うことができる。
【００３９】
請求項１４記載の換気システムの発明は、外出を入力する外出入力手段を備え、前記外出入力手段が入力されていると判断している時に窓が開閉したと判断した場合は、警報を促すことを特徴とするものであり、警報を促すことができるため、使用者に危険な状態を知らせることができる。
【００４０】
請求項１５に記載の発明は、請求項１４に記載の換気システムにおいて、前記外出入力手段の変わりに、圧力測定装置を備えたことを特徴とするものであり、圧力測定装置が窓が開閉した場合には、警報を促すことができるため、使用者に危険な状態を知らせることができる。
【００４１】
以下、本願発明の実施の形態について図１〜図９を参照しながら説明する。
【００４２】
（実施の形態１）
本発明の換気システムの一例として、建物内の天井に設けられた換気装置を例にとり説明する。
【００４３】
図１、図２に示すように、換気装置は、例えば家屋１の階段ホール２の天井裏３に設置されており、本体４の側面に設けた第１吸込ダクト接続口５は、第１吸込ダクトを通じて、居室６の天井面に設置されている第１吸込グリル７と連通している。また、本体４の側面に設けた第２吸込ダクト接続口８、第２吸込ダクトを通じて、居室９の天井面に設置されている第２吸込グリル１０と連通している。また、本体４の側面に設けた第３吸込ダクト接続口１１、第３吸込ダクトを通じて、トイレ１２の天井面に設置されている第３吸込グリル１３と連通している。本体４には、ファン１４とモータ１５（例えば、高圧ＤＣモータ）からなる換気装置を備え、吸込みグリル７、１０、１３のそれぞれから吸い込むとともに、本体４の下面のルーバ１６に備えた吸込み口１７からも吸込む構成となっており、本体４側面に設けている排気ダクト接続口１８と経由して排気ダクト接続口１８と連通した排気ダクト１９を通して居室壁面に設けている排気口２０から外気へ排気する。また、居室壁面には、外気の空気を取り入れる自然吸気口２１（この自然吸気口は、居室の数だけ設置される。）が備えてあり、外気を居室に吸込み外へ排気されている。また、排気ダクト接続口１８には、本体４に設置した差圧センサ２２からＨＩＧＨ側圧導入口２３（例えばシリコンチューブ）を排気ダクト接続口１８の絞り２６の手前に設置し、ＬＯＷ側圧導入口２４（例えばシリコンチューブ）を排気ダクト接続口１８の絞り２６の後に備え、差圧センサ２２は、本体４に設置した制御部２５と信号線（図示せず）で接続されている構成となっている。
【００４４】
差圧センサ２２の構成は、受圧面をシリコンダイアフラムとした対象構造とし、圧力を受けるとダイアフラムが変動し、静電容量が変化するため、その静電容量の変化を電気的に出力するものである。
【００４５】
また、ＨＩＧＨ側圧導入口２３、ＬＯＷ側圧導入口２４（例えばシリコンチューブ）の先は排気ダクト接続口１８の内部壁面とつら位置（図示せず）に配置している。
【００４６】
また、差圧センサ２２の近傍温度を測定するサーミスタ２８を備える。
【００４７】
また、窓３０が開閉した状態がわかる窓開閉手段２９（例えばマグネットスイッチ）を窓３０に備え、本体４に設置した制御部２５と信号線（図示せず）で接続されている構成となっている。
【００４８】
また、本体４側面に設けている排気ダクト接続口１８には、フィルタ３１（例えばハニカムフィルタ）を換気装置からの乱気流を制御するために備える。
【００４９】
また、トイレ１２の天井面に設置されている第３吸込グリル１３には人の入室、退出を検知する人感測定装置３２（例えば人感センサ）を備える構成となっている。人感測定装置３２の構成は、人体の放射される熱線を検知する熱線と、熱線の信号を増幅する増幅器（例えばオペアンプ）と検知領域からの熱線を熱線に集光する受光レンズとの組み合せ）である。
【００５０】
また、換気装置の運転を使用者が運転、停止するための電源スイッチ３３と風量を手動で強、弱と変化させる強弱スイッチ３４を階段ホール２に備え、制御部２５と信号線（図示せず）で接続されている構成となっている。
【００５１】
上記構成において、換気装置の動作を図３に示すフローチャートを用いて説明する。
【００５２】
例えば、換気装置使用者が換気装置を運転するために換気装置に電源スイッチ３３が投入され強弱スイッチ３４を弱に設定すると、制御部２５に電源が印加される。制御部２５に電源が印加されると制御部２５のプログラムが処理を開始し、差圧センサ２２、サーミスタ２８、窓開閉手段２９、人感測定装置３２の読み込みを開始し、ファン１４の運転をある一定時間（例えば５分間）、通常より強い（例えば強回転で）運転を開始する命令を出力する。通電初期のみある一定時間（例えば５分間）、通常より強い（例えば強回転で）運転する理由は、モータのトルクが弱く且つ周りの環境温度が低いとモータが通常より弱い（例えば弱回転で）動作するとファンが回転しない恐れがあるため、一定時間モータを暖めるために通常より強い運転をする。
【００５３】
制御部２５より運転開始命令を受けるとファン１４により本体４の下面に設けた吸込み口１７及び居室用第１吸込グリル７から第１吸込ダクトを通して第１吸込ダクト接続口５より吸い込まれ、同様に居室用第２吸込グリル１０から第２吸込ダクトを通して第２吸込ダクト接続口８より吸い込まれ、同様にトイレ用第３吸込グリル１３から第３吸込ダクトを通して第３吸込ダクト接続口１１より吸い込まれ、排気ダクト接続口１８を経由して排気ダクト接続口１８と連通した排気ダクト１９を通して居室壁面に設けている排気口２０から外気へ排気する。
【００５４】
この時、排気ダクト接続口１８には、差圧センサ２２を備えている。この差圧センサ２２で出力された値から排気ダクト接続口１８の流れている流量がわかる。流量がわかると排気ダクト接続口１８内に流れている風量がわかる。
【００５５】
予めプログラム内に設定してある差圧値と現在の差圧値（温度をサーミスタ２８で測定し必要に応じて温度係数で補正を行う）を比較し、ダクトの経路圧力損失の影響で値に差が発生した場合は、制御部２５でファン１４を操作して差圧値に差がなくなるように制御することで必要な換気風量を一定にすることができる。
【００５６】
また、ある一定時間（例えば５分間）経過後、弱運転になり同様な手段で風量一定になる様に調整を開始し、調整が終了すると窓３０の状態を確認するために、窓開閉手段２９の状態を判定し、窓開閉手段２９がＯＦＦいわゆる窓３０が閉の状態の場合は、ファン１４は弱状態を維持し、窓開閉手段２９がＯＮいわゆる窓３０が開の状態の場合は、ある一定時間（例えば１０分）経過後、ファン１４を停止する。洗濯物を干しに窓３０を開閉した場合、外で１０分くらいは作業をする可能性があるため、ある一定時間を１０分にしている。また、この時人感測定装置３２が検知している時は、ファン１４が停止状態にあったとしても運転状態に変更されることとなる。
【００５７】
以上のように構成した換気システムは、ダクトの長さ、配管の影響を気にすることなく設計、施工できるため、換気回数を確実に確保することができ、最適設計できるため必要以上のスペックが必要なくなり負荷が軽減できるため、換気システム使用者に低価格で環境を考えた商品を提供することができる。
【００５８】
（実施の形態２）
実施の形態２について、図４および図５を参照しながら説明する。なお、実施の形態１と同一のものは同一番号を付し、その詳細な説明を省略する。
【００５９】
換気装置の運転を使用者が気にすることなく風量を強、弱変化させるために自動スイッチ３５を階段ホール２に備え、室外の温度を測定する室外サーミスタ３６を居室壁面に設けている排気口２０に備え、制御部２５とは信号線（図示せず）で接続する構成とする。
【００６０】
また、室内の温度を測定する室内サーミスタ３７を本体４の下面に設けた吸込み口１７に備え、制御部２５とは信号線（図示せず）で接続する構成となる。
【００６１】
上記構成において、本実施の形態に係る換気装置の動作を図５に示すフローチャートを用いて説明する。
【００６２】
例えば、換気装置使用者が換気装置を運転するために換気装置に電源スイッチ３３が投入され自動スイッチ３５を設定すると、制御部２５に電源が印加される。制御部２５に電源が印加されると制御部２５のプログラムが処理を開始し、差圧センサ２２、サーミスタ２８、窓開閉手段２９、人感測定装置３２、室外サーミスタ３６、室内サーミスタ３７の読み込みを開始し、ファン１４の運転をある一定時間（例えば５分間）、通常より強い（例えば強回転）で運転を開始する命令を出力する。制御部２５より運転開始命令を受けるとファン１４により本体４の下面に設けた吸込み口１７及び居室用第１吸込グリル７から第１吸込ダクトを通して第１吸込ダクト接続口５より吸い込まれ、同様に居室用第２吸込グリル１０から第２吸込ダクトを通して第２吸込ダクト接続口８より吸い込まれ、同様にトイレ用第３吸込グリル１３から第３吸込ダクトを通して第３吸込ダクト接続口１１より吸い込まれ、排気ダクト接続口１８を経由して排気ダクト接続口１８と連通した排気ダクト１９を通して居室壁面に設けている排気口２０から外気へ排気する。
【００６３】
この時、室外サーミスタ３６と室内サーミスタ３７の温度差が冬季等において１０℃以上発生した場合は、自然換気量が見込めるため（例えば０．１７回）よって必要換気回数０．５回換気を満たす風量までファン１４を低減させて運転を継続することとなる。
【００６４】
以上のように構成した換気システムは、温度差が発生する時は、自然換気を利用することができるため、負荷が軽減できるため、換気システム使用者に低価格で環境を考えた商品を提供することができる。
【００６５】
（実施の形態３）
実施の形態３について、図６を参照しながら説明する。なお、実施の形態１と同一のものは同一番号を付し、その詳細な説明を省略する。
【００６６】
排気ダクト接続口３８を備え、排気ダクト接続口３８内部には、風が流れる通風路４３とオリフィス３９を備え、オリフィス３９の前後に差圧センサ２２のＨＩＧＨ側圧導入口２３とＬＯＷ側圧導入口２４を備え、排気ダクト接続口１８に接続できる構成とする。
【００６７】
上記構成において、風量が大きくなるとファン１４の回転で通風路４３に乱気流が発生するため乱気流の影響を受けて差圧がばらつき風量がばらつくが、別の排気ダクト接続口３８を接続することにより、ファン１４と差圧センサ２２の測定部分の距離をとることで乱気流の影響を受けなくなるため、確実に差圧がとれるため、風量のばらつきが減り確実に換気風量を確保できる。
【００６８】
通常ファン１４と差圧測定部分の距離は、排気ダクト接続口の内径の５倍以上と考えるが、距離が短くても乱流が起こらなければ距離が短くても十分同じ効果が得られる。
【００６９】
（実施の形態４）
実施の形態４について、図７および図８を参照しながら説明する。なお、実施の形態１と同様の構成要素についてはその説明を省略する。
【００７０】
外出を入力する外出入力スイッチ４０を備え、この外出入力スイッチ４０は制御部２５と信号線で接続される構成となっており、使用者が外出する時、外出入力スイッチ４０を押すと外出したという情報が制御部２５に入力される。その状態で、窓開閉手段２９がＯＮ状態になると使用者以外が窓３０を開けたと判断して警報を促すこととなる。
【００７１】
上記構成において、使用者が外出しているのに窓３０が開状態になるのは不審者が侵入してきた判断できるため、使用者に危険な状態を知らせることができる。
【００７２】
また、外出入力手段を微差圧センサ（図示せず）を用いて窓３０の開閉の判断に利用したとしても作用効果は同じである。
【００７３】
（実施の形態５）
実施の形態５について、図９を参照しながら説明する。なお、実施の形態１と同様の構成要素についてはその説明を省略する。
【００７４】
換気装置の本体４には、暖房機能４１（例えばヒータ）を備える構成とする。
【００７５】
上記構成においてこの換気装置を階段ホール２の変わりに例えば浴室に設置したとしたら暖房機能があるため、浴室の暖房や乾燥ができるため、使用者が浴室に入室する時に、冬場等冷風感を感じることがなくなり且つ雨天等洗濯を乾かすことができる商品を提供することができる。
【産業上の利用可能性】
【００７６】
本発明にかかる建物に取り付けられる換気装置は、風量を一定に抑制するものである製品において広く有用である。
【図面の簡単な説明】
【００７７】
【図１】本発明の実施形態１の換気システムの取り付け状態図
【図２】同換気装置を天井に取り付けた状態を示す取り付け図
【図３】同換気装置の運転動作を示すフローチャート
【図４】本発明の実施形態２の換気システムの取り付け状態図
【図５】同換気装置の運転動作を示すフローチャート
【図６】同排気ダクト口断面図
【図７】同換気装置を天井に取り付けた状態を示す取り付け図
【図８】同換気装置の運転動作を示すフローチャート
【図９】同換気装置を浴室に取り付けた状態を示す取り付け図
【図１０】従来の換気システムを示す構成図
【符号の説明】
【００７８】
１    家屋
２    階段ホール
３    天井裏
４    本体
５    第１吸込ダクト接続口
６    居室
７    第１吸込グリル
８    第２吸込ダクト接続口
９    居室
１０  第２吸込グリル
１１  第３吸込ダクト接続口
１２  トイレ
１３  第３吸込グリル
１４  ファン
１５  モータ
１６  ルーバ
１７  吸込み口
１８  排気ダクト接続口
１９  排気ダクト
２０  排気口
２１  自然吸気口
２２  差圧センサ
２３  ＨＩＧＨ側圧導入口
２４  ＬＯＷ側圧導入口
２５  制御部
２６  絞り
２８  サーミスタ
２９  窓開閉手段
３０  窓
３１  フィルタ
３２  人感測定装置
３３  電源スイッチ
３４  強弱スイッチ
３５  自動スイッチ
３６  室外サーミスタ
３７  室内サーミスタ
３８  排気ダクト接続口
３９  オリフィス
４０  外出入力スイッチ
４１  暖房機能
【図１】
2008008528.tif 000003
【図２】
2008008528.tif 000004
【図３】
2008008528.tif 000005
【図４】
2008008528.tif 000006
【図５】
2008008528.tif 000007
【図６】
2008008528.tif 000008
【図７】
2008008528.tif 000009
【図８】
2008008528.tif 000010
【図９】
2008008528.tif 000011
【図１０】
2008008528.tif 000012